(57)【要約】【課題】特性試験中に保護継電器に対して遠隔操作にて整定変更及び強制動作を行うことが可能な、可搬型メンテナンスツールを得る。【解決手段】保護継電器３に対する遠隔操作のための通信を行う通信用ケーブル８と、保護継電器３に対する特性試験、整定変更及び強制動作を行うための指令を入力するタッチパネル４と、タッチパネル４に入力された各指令に基づく演算処理を行うＣＰＵカード６と、ＣＰＵカード６の制御により保護継電器３へのデータの書込みを行うとともに保護継電器３からのデータの読込みを行う通信用ユニット５と備えている。【選択図】図１
2015225035.tif 000002
【特許請求の範囲】
【請求項１】
保護継電器に対する遠隔操作のための通信を行う通信手段と、
前記保護継電器の特性試験を行うための指令、及び、前記保護継電器に対する整定変更及び強制動作を行うための指令を入力する入力手段と、
前記入力手段に入力された各前記指令に基づく演算処理を行う演算手段と、
前記演算手段の制御により前記保護継電器へのデータの書込みを行う書込手段と、
前記演算手段の制御により前記保護継電器からのデータの読込みを行う読込手段と
備えた
可搬型メンテナンスツール。
【請求項２】
前記保護継電器は、保護継電器試験用切替装置内に収納された状態で、前記特性試験、前記整定変更、及び、前記強制動作を行うものであって、
前記保護継電器試験用切替装置は、前記保護継電器と前記可搬型メンテナンスツールとに接続され、前記保護継電器の種類及び試験要素に応じて入出力信号の切り替えを行う切替手段を備えている
請求項１に記載の可搬型メンテナンスツール。
【請求項３】
前記保護継電器は配電盤に配置されて運転されるものであって、
前記配電盤に配置され運転状態の前記保護継電器に対して、前記通信手段を介して接続し、前記特性試験、前記整定変更、及び、前記強制動作を行う
請求項１に記載の可搬型メンテナンスツール。
【請求項４】
前記通信手段、前記入力手段、前記演算手段、前記書込手段、および、前記読込手段を収納する可搬用ケースをさらに備えた
請求項１から３までのいずれか１項に記載の可搬型メンテナンスツール。
【発明の詳細な説明】
【技術分野】
【０００１】
この発明は可搬型メンテナンスツールに関し、特に、鉄道向け変電所の点検作業（メンテナンス作業）の一つである保護継電器の特性試験を短時間で実施するための可搬型メンテナンスツールに関するものである。
【背景技術】
【０００２】
鉄道向け変電所では、系統保護用に保護継電器が用いられている。保護継電器は、通常の運転時には配電盤内に搭載されて稼働されているが、特性試験を行う場合には、保護継電器を配電盤から取り外し、保護継電器試験装置に接続して、特性試験を行う。
【０００３】
そのため、特性試験を行う際の保護継電器試験装置と保護継電器との接続を容易にし、さらに、保護継電器の種類（機種）や試験要素に応じた切替操作を容易にするための保護継電器試験用切替装置が開発されている。
【０００４】
特許文献１に記載の保護継電器試験用切替装置は、保護継電器と保護継電器試験装置との間にコネクタ接続されて使用されるもので、保護継電器を受け入れる受入手段と、当該受入手段に挿入された状態の保護継電器と接続されるコネクタ端子と、保護継電器の種類や試験要素に応じて入出力信号を切り替える切替手段とを備えることで、入出力信号の切替操作が容易となり、試験作業の簡素化及び確実化を図り、信頼性及び作業性を向上させている。
【先行技術文献】
【特許文献】
【０００５】
【特許文献１】特許第３６４３３５７号公報
【発明の概要】
【発明が解決しようとする課題】
【０００６】
従来の保護継電器試験用切替装置は、以上のように構成されており、入出力信号の切り替え動作は行えるものの、保護継電器の整定変更や強制動作は行えないため、作業者が保護継電器本体に設けられた操作パネルを直接操作しなければならないという問題点があった。また、その設定は階層化されており、操作が極めて煩雑であるが、当該操作を保護継電器試験用切替装置に収納された状態の保護継電器に対して行わなければならず、作業員の負担が大きいという問題点があった。
【０００７】
この発明は、上記のような課題を解決するためになされたものであり、特性試験中に保護継電器に対して遠隔操作にて整定変更及び強制動作を行うことが可能な、可搬型メンテナンスツールを得ることを目的とする。
【課題を解決するための手段】
【０００８】
この発明は、保護継電器に対する遠隔操作のための通信を行う通信手段と、前記保護継電器の特性試験を行うための指令、及び、前記保護継電器に対する整定変更及び強制動作を行うための指令を入力する入力手段と、前記入力手段に入力された各前記指令に基づく演算処理を行う演算手段と、前記演算手段の制御により前記保護継電器へのデータの書込みを行う書込手段と、前記演算手段の制御により前記保護継電器からのデータの読込みを行う読込手段と備えた可搬型メンテナンスツールである。
【発明の効果】
【０００９】
この発明は、保護継電器に通信手段を介して接続され、入力手段に入力された指令に基づく演算処理を行う演算手段と、演算手段の制御により保護継電器へのデータの書込みおよび保護継電器からのデータの読込みを行う書込手段および読込手段とを備えた可搬型メンテナンスツールであるので、特性試験中に保護継電器に対して遠隔操作にて整定変更及び強制動作を行うことができる。
【図面の簡単な説明】
【００１０】
【図１】この発明の実施の形態１に係る可搬型メンテナンスツールおよびそれに接続される保護継電器試験用切替装置及び保護継電器を示した斜視図である。
【図２】この発明の実施の形態１に係る可変型メンテナンスツールに設けられたタッチパネルのタッチ画面の一例を示した図である。
【図３】この発明の実施の形態１に係る保護継電器試験用切替装置に設けられた操作盤の一例を示した図である。
【図４】この発明の実施の形態２に係る可搬型メンテナンスツールおよびそれに接続される保護継電器試験用切替装置及び保護継電器を示した斜視図である。
【発明を実施するための形態】
【００１１】
実施の形態１．
以下、この発明の実施の形態１を図１に基づいて説明する。
図１において、１は可搬型メンテナンスツール、２は保護継電器試験用切替装置、３は保護継電器、４はタッチパネル、５は通信用ユニット、６はＣＰＵカード、７は電源ユニット、８は通信用ケーブル、９は、タッチパネル４、通信用ユニット５、ＣＰＵカード６、電源ユニット７、及び、通信用ケーブル８を収納するケース、１０は保護継電器試験用切替装置２に設けられた通信用接続コネクタ端子である。
【００１２】
以下、本実施の形態に係る可搬型メンテナンスツール１の構成について説明する。
【００１３】
本実施の形態に係る可搬型メンテナンスツール１は、図１に示すように、箱形状のカバン型のケース９の中に、タッチパネル４、通信用ユニット５、ＣＰＵカード６、及び、電源ユニット７が収納されて構成されている。ケース９には、可搬型メンテナンスツール１を可搬する場合に備えて、蓋９ａと取っ手（持ち手）９ｂとが設けられている。また、ケース９内には、各装置５〜７の脇に、巻回された通信用ケーブル８を納めるための通信用ケーブル８収納用の収納部９ｃが設けられている。可搬時には、通信用ケーブル８を収納部９ｃに納め、ケース９の蓋９ａを閉めることにより、ケース９内部の各装置４〜８が保護される。蓋９ａの内側の面の全体に、各装置４〜８を衝撃から保護するための緩衝材を貼付しておくことがより望ましい。作業員は、蓋９ａを閉めた状態のケース９を取っ手（持ち手）９ａにより手提げすることにより、通常のカバン同様に、可搬型メンテナンスツール１を容易に持ち運ぶことができる。一方、可搬型メンテナンスツール１の使用時には、図１に示す状態になるよう、作業員がケース９の蓋９ａを開けて、通信用ケーブル８を取り出し、保護継電器試験用切替装置２の通信用接続コネクタ端子１０に、通信用ケーブル８の先端に設けられたコネクタ端子８ａを接続し、可搬型メンテナンスツール１の電源をＯＮにする。これにより、保護継電器試験用切替装置２に収納された状態の保護継電器３と可搬型メンテナンスツール１とが電気的に接続される。
【００１４】
図２は、可搬型メンテナンスツール１のタッチパネル４のタッチ画面の一例を示す図である。タッチパネル４は、保護継電器３の特性試験を行うための指令の入力、および、保護継電器３への整定変更および強制動作の指令の入力を作業員が行うための入力手段である。タッチパネル４のタッチ画面には、図２に示すように、整定するリレー要素を選択するための複数の釦からなるリレー要素選択部４０と、リレー要素の整定値を数値入力するためのテンキー４１と、整定値等を表示するための表示部４２と、特性試験開始、整定開始、取消、整定確定、メモリ書込、運用開始などを指令する操作スイッチ部４３とが設けられている。
【００１５】
可搬型メンテナンスツール１の通信用ユニット５は、通信用ケーブル８に接続されており、通信用ケーブル８を介して、保護継電器試験用切替装置２および保護継電器３に対し、信号の送受信を行う。通信用ユニット５および通信用ケーブル８は、保護継電器３に対する遠隔操作のための通信を行う通信手段を構成している。また、通信用ユニット５は、ＣＰＵカード６からの制御信号に従って、保護継電器３へのデータの書き込みを行う書込手段を構成するとともに、保護継電器３からのデータの読み込みを行う読込手段も構成している。
【００１６】
可搬型メンテナンスツール１のＣＰＵカード６は、内部にＣＰＵを搭載しており、タッチパネル４に対して作業員が入力した指令（コマンド）に応じた各種演算処理を行う演算手段を構成している。ＣＰＵカード６は、タッチパネル４に対して入力されたデータを通信用ユニット５及び通信用ケーブル８を介して保護継電器３へ書込む処理を行うとともに、タッチパネル４に入力された指令に応じて保護継電器３内に設けられた記憶装置（図示せず）から入力計測値等の各種データを通信用ユニット５及び通信用ケーブル８を介して読込む処理を行う。従って、作業員は、保護継電器３に対する整定変更や強制動作を行うことができるとともに、例えば系統故障発生時等に、当該系統故障発生前後の電気量や保護継電器３の状態を示すその他の情報を、保護継電器３の記憶装置から読出すことができる。
【００１７】
可搬型メンテナンスツール１の電源ユニット７は、ＣＰＵカード６およびタッチパネル４に電源の供給を行う電源手段を構成している。電源ユニット７は、充電式の電池を内部に搭載している。また、電源ユニット７は、外部に設けられた商業用電源からの電源の供給も受けられる構成となっており、電池に充電がなされていない場合にも、商業用電源に接続することにより、ＣＰＵカード６およびタッチパネル４に電源の供給を行うことができる。
【００１８】
次に、保護継電器試験用切替装置２の構成について説明する。
【００１９】
図１に示すように、保護継電器試験用切替装置２の側面には、保護継電器３を挿入するための挿入口を有した保護継電器収納部１１が設けられている。特性試験を行う場合には、配電盤（図４の符号３０参照）から取り外した保護継電器３を、図１の矢印Ａ方向に、保護継電器試験用切替装置２内の保護継電器収納部１１内に挿入し収納させて、特性試験を行う。
【００２０】
また、保護継電器試験用切替装置２の上面には、保護継電器３の機種やその試験要素毎に入出力信号を切り替えるための各種スイッチが設けられた操作盤１２が設けられている。操作盤１２には、各種スイッチとして、図３に一例を示すように、電流値の調整及び設定を行うための電流ロータリースイッチ１７と、電圧値の調整及び設定を行うための電圧ロータリースイッチ１８と、入出力信号のＯＮ／ＯＦＦの切り替えを行うための複数のトグルスイッチ１９とが設けられている。また、当該操作盤１２に被さるように、複数枚の試験要素切替名板１６が取り外し自在に設けられている。試験要素切替名板１６は、操作盤１２に設けられた各種スイッチ１７〜１９のスイッチ操作に支障のないよう予め切抜貫通穴２１が設けられた板状部材であり、各板毎に、その板面に、保護継電器３の機種及び試験要素毎の切替操作情報が各スイッチ１７〜１９に対して表記されている。作業員はその切替操作情報を見ながら各スイッチ１７〜１９の操作を行う。このように、各試験要素切替名板１６は、保護継電器３の各機種毎および各試験要素毎に対応して作成されている。これらの試験要素切替名板１６は、保護継電器試験用切替装置２本体に設けられたブラケット２０に綴られている。作業員は、操作盤１２に、所望の試験要素切替名板１６を選択して被せることにより、保護継電器３の機種及び試験要素毎のスイッチ切替位置や操作内容を、当該試験要素切替名板１６によって指示される切替操作情報に基づいて判断し、各種スイッチ１７〜１９の切替作業を行うため、保護継電器３の機種毎および試験要素毎に異なる煩雑な操作を間違いなく行うことができる。このように、本実施の形態における保護継電器試験用切替装置２においては、各種スイッチ１７〜１９と試験要素切替名板１６とが、保護継電器の種類及び試験要素に応じて入出力信号の切替を行う切替手段を構成している。
【００２１】
次に、本実施の形態に係る可搬型メンテナンスツール１の動作について説明する。特性試験を行う場合には、まず、配電盤（図４の符号３０参照）から取り外した保護継電器３を、図１の矢印Ａ方向に、保護継電器試験用切替装置２内の保護継電器収納部１１内に挿入し、収納させる。そして、可搬型メンテナンスツール１の通信用ユニット５に接続されている通信用ケーブル８を保護継電器試験用切替装置２の通信用接続コネクタ端子１０に接続する。この状態で、可搬型メンテナンスツール１の電源をＯＮにし、タッチパネル４の画面操作を行うと、保護継電器３へのデータへ書込みや保護継電器３からのデータの読出しが可能となる。こうして、作業員により、タッチパネル４に対して、保護継電器３の整定変更や強制動作を行うための指令や、系統故障発生前後の電気量やその他の保護継電器３の状態を示す各種情報を保護継電器３の記憶装置から読出すための指令が入力され、ＣＰＵカード６により当該指令が処理され実行される。
【００２２】
以上のように、本実施の形態に係る可搬型メンテナンスツール１は、保護継電器３に対する遠隔操作のための通信を行う通信手段（通信用ケーブル８及び通信用ユニット５）と、保護継電器３の特性試験を行うための指令及び保護継電器３に対する整定変更及び強制動作を行うための指令を入力する入力手段（タッチパネル４）と、入力手段に入力された各指令に基づく演算処理を行う演算手段（ＣＰＵカード６）と、演算手段の制御により保護継電器３へのデータの書込みを行う書込手段（通信用ユニット５）と、演算手段の制御により保護継電器３からのデータの読込みを行う読込手段（通信用ユニット５）を備えている。これにより、本実施の形態に係る可搬型メンテナンスツール１においては、保護継電器試験用切替装置２内に収納した状態の保護継電器３と通信用ケーブル８を介して通信できるため、保護継電器３への整定変更や強制動作を遠隔操作する事が出来る。また、必要に応じて、保護継電器３から、電気量やその他の保護継電器３の状態を示す各種情報を、遠隔操作により読み出すことができる。
【００２３】
また、可搬型メンテナンスツール１にタッチパネル４を設けて、上記操作をタッチパネル方式で行なえるようにしたので、作業員が操作がしやすく、かつ、短時間でシステムの健全確認試験が終了出来るので、システムの休止時間を大きく減らす事が出来る。
【００２４】
また、本実施の形態に係る可搬型メンテナンスツール１は、カバン型のケース９に収納するようにしたことで、どこにでも自由に持ち運ぶ事が出来る。
【００２５】
実施の形態２．
上記の実施の形態１においては、保護継電器３の特性試験を行う場合に、保護継電器３を保護継電器試験用切替装置２に収納した状態で行うと説明したが、本実施の形態においては、図４に示すように、保護継電器３を配電盤３０から取り外さずに、そのままの状態で、可搬型メンテナンスツール１に対して通信用ケーブル８を介して接続して、特性試験を行う。
【００２６】
本実施の形態においては、配電盤３０の通信用接続コネクタ端子３１に、通信用ケーブル８の先端に設けられたコネクタ端子８ａを接続する。これにより、配電盤３０に配置されたままの保護継電器３と可搬型メンテナンスツール１とが電気的に接続される。
【００２７】
他の構成および他の動作については、上記実施の形態１と同じであるため、ここでは説明を省略する。
【００２８】
以上のように、本実施の形態によれば、上記の実施の形態１と同様の効果が得られるとともに、さらに、本実施の形態においては、保護継電器３を配電盤３０から取出さなくても通信用ケーブル８を介して通信できるように構成したので、配電盤３０に対する保護継電器３の挿抜による金属摩耗が無くなり、電気的な接続確認も不要になる。よって、試験作業の品質を向上させる事が出来る。
【００２９】
更に、保護継電器試験用切替装置２に収納されていない通常の運転状態の保護継電器３に対しても、同様に遠隔操作にて整定変更や強制動作ができるので、定期的に実施しているシステムの健全確認試験を短時間で終える事ができる。
【符号の説明】
【００３０】
１  可搬型メンテナンスツール、２  保護継電器試験用切替装置、３  保護継電器、４  タッチパネル、５  通信用ユニット、６  ＣＰＵカード、７  電源ユニット、８  通信用ケーブル、９  ケース、１０  通信用接続コネクタ端子。
【図１】
2015225035.tif 000003
【図２】
2015225035.tif 000004
【図３】
2015225035.tif 000005
【図４】
2015225035.tif 000006
【手続補正書】
【提出日】平成27年7月15日(2015.7.15)
【手続補正１】
【補正対象書類名】明細書
【補正対象項目名】０００８
【補正方法】変更
【補正の内容】
【０００８】
この発明は、保護継電器試験用切替装置内又は配電盤内に収納された状態の保護継電器に接続して、当該保護継電器のメンテナンスを行うための可搬式メンテナンスツールであって、前記保護継電器に対する通信を行う通信ケーブルと、前記通信ケーブルの先端に設けられ、前記保護継電器試験用切替装置又は前記配電盤に設けられた通信用接続コネクタ端子に接続されるコネクタ端子と、前記保護継電器の特性試験を行うための指令、及び、前記保護継電器に対する整定変更及び強制動作を行うための指令を入力する入力手段と、前記入力手段に入力された各前記指令に基づく演算処理を行う演算手段と、前記演算手段の制御により前記通信ケーブルを介して前記保護継電器へのデータの書込みを行う書込手段と、前記演算手段の制御により前記通信ケーブルを介して前記保護継電器からのデータの読込みを行う読込手段と備えた可搬型メンテナンスツールである。
【手続補正２】
【補正対象書類名】明細書
【補正対象項目名】０００９
【補正方法】変更
【補正の内容】
【０００９】
この発明は、保護継電器試験用切替装置内又は配電盤内に収納された状態の保護継電器に接続して、当該保護継電器のメンテナンスを行うための可搬式メンテナンスツールであって、前記保護継電器に対する通信を行う通信ケーブルと、前記通信ケーブルの先端に設けられ、前記保護継電器試験用切替装置又は前記配電盤に設けられた通信用接続コネクタ端子に接続されるコネクタ端子と、前記保護継電器の特性試験を行うための指令、及び、前記保護継電器に対する整定変更及び強制動作を行うための指令を入力する入力手段と、前記入力手段に入力された各前記指令に基づく演算処理を行う演算手段と、前記演算手段の制御により前記通信ケーブルを介して前記保護継電器へのデータの書込みを行う書込手段と、前記演算手段の制御により前記通信ケーブルを介して前記保護継電器からのデータの読込みを行う読込手段と備えた可搬型メンテナンスツールであるので、通信ケーブルの先端に設けられたコネクタ端子を、保護継電器試験用切替装置又は配電盤に設けられた通信用接続コネクタ端子に接続することで、特性試験中に保護継電器に対して遠隔操作にて整定変更及び強制動作を行うことができる。
【手続補正３】
【補正対象書類名】特許請求の範囲
【補正対象項目名】全文
【補正方法】変更
【補正の内容】
【特許請求の範囲】
【請求項１】
保護継電器試験用切替装置内又は配電盤内に収納された状態の保護継電器に接続して、当該保護継電器のメンテナンスを行うための可搬式メンテナンスツールであって、
前記保護継電器に対する通信を行う通信ケーブルと、
前記通信ケーブルの先端に設けられ、前記保護継電器試験用切替装置又は前記配電盤に設けられた通信用接続コネクタ端子に接続されるコネクタ端子と、
前記保護継電器の特性試験を行うための指令、及び、前記保護継電器に対する整定変更及び強制動作を行うための指令を入力する入力手段と、
前記入力手段に入力された各前記指令に基づく演算処理を行う演算手段と、
前記演算手段の制御により前記通信ケーブルを介して前記保護継電器へのデータの書込みを行う書込手段と、
前記演算手段の制御により前記通信ケーブルを介して前記保護継電器からのデータの読込みを行う読込手段と
備えた
可搬型メンテナンスツール。
【請求項２】
前記保護継電器は、前記保護継電器試験用切替装置内に収納された状態で、前記特性試験、前記整定変更、及び、前記強制動作を行うものであって、
前記保護継電器試験用切替装置は、前記保護継電器と前記可搬型メンテナンスツールとに接続され、前記保護継電器の種類及び試験要素に応じて入出力信号の切り替えを行う切替手段を備えている
請求項１に記載の可搬型メンテナンスツール。
【請求項３】
前記保護継電器は前記配電盤に配置されて運転されるものであって、
前記配電盤に配置され運転状態の前記保護継電器に対して、前記通信ケーブルを介して接続し、前記特性試験、前記整定変更、及び、前記強制動作を行う
請求項１に記載の可搬型メンテナンスツール。
【請求項４】
前記通信ケーブル、前記入力手段、前記演算手段、前記書込手段、および、前記読込手段を収納する可搬用ケースをさらに備えた
請求項１から３までのいずれか１項に記載の可搬型メンテナンスツール。